(57)【要約】【課題】箔押しのジョブを実行する際に、箔ロールの残量に応じた最適な設定をオペレータに提示する。【解決手段】箔ロールを使って箔押しを行う場合に、箔押しを行うジョブの実行によって必要となる箔ロールの使用量を取得すると共に、その使用量として、箔ロールの未使用領域を巻き戻さないモードでの使用量と、箔ロールの未使用領域を巻き戻すモードでの使用量との２種類のモードでの使用量を取得する。そして、その２種類のモードでの箔ロールの使用量と、現在の箔ロールの残量とを比較して、それぞれのモードでのジョブの完了の可否を判定する。この各モードでのジョブの完了の可否に基づいて、モード設定の変更を提案する表示を行う。【選択図】図５
2018069659.tif 000002
【特許請求の範囲】
【請求項１】
箔押しを行うための箔ロールが装着される箔ロール装着部と、
前記箔ロール装着部に装着された箔ロールを使って、用紙に箔押しを行う箔押し処理部と、
前記箔ロール装着部に装着された箔ロールの残量を取得する残量取得部と、
ジョブの実行によって必要となる箔ロールの使用量を取得すると共に、その使用量として、箔ロールの未使用領域を巻き戻さないモードでの使用量と、箔ロールの未使用領域を巻き戻すモードでの使用量との２種類のモードでの使用量を取得する使用量取得部と、
前記残量取得部が取得した箔ロールの残量と、前記使用量取得部が取得した前記２種類のモードでの箔ロールの使用量とを比較して、それぞれのモードでのジョブの完了の可否を判定するジョブ制御部と、
前記ジョブ制御部で判定した各モードでのジョブの完了の可否に基づいて、モード設定の変更の提案を行う表示部とを備える
箔押し機。
【請求項２】
前記表示部での表示に基づいて、ジョブ実行時のモードの変更操作を受け付ける操作部を備える
請求項１に記載の箔押し機。
【請求項３】
前記ジョブ制御部は、箔ロールの未使用領域を巻き戻さないモードでのジョブの実行により箔ロールの交換が必要と判定した場合、その箔ロールの未使用領域を巻き戻さないモードでのジョブの実行時間に、箔ロールの平均の交換時間を加算した実ジョブ実行時間を算出し、箔ロールの未使用領域を巻き戻すモードでのジョブの実行時間と前記実ジョブ実行時間とを比較して、短時間でジョブが終了するモードを判定し、
前記表示部は、前記ジョブ制御部で判定した、短時間でジョブが終了するモードの判定結果を表示する
請求項１に記載の箔押し機。
【請求項４】
前記ジョブ制御部は、前記短時間でジョブが終了するモードを判定したとき、その判定結果に基づいて短時間でジョブが終了するモードを自動設定する
請求項３に記載の箔押し機。
【請求項５】
箔押しを行うための箔ロールが装着される箔ロール装着部と、
前記箔ロール装着部に装着された箔ロールを使って、用紙に箔押しを行う箔押し処理部と、
前記箔ロール装着部に装着された箔ロールの残量を取得する残量取得部と、
ジョブの実行によって必要となる箔ロールの使用量を取得すると共に、その使用量として、箔ロールの未使用領域を巻き戻さないモードでの使用量と、箔ロールの未使用領域を巻き戻すモードでの使用量との２種類のモードでの使用量を取得する使用量取得部と、
前記残量取得部が取得した箔ロールの残量と、前記使用量取得部が取得した前記２種類のモードでの箔ロールの使用量とを比較して、それぞれのモードでのジョブの完了の可否を判定するジョブ制御部と、
前記ジョブ制御部で判定した各モードでのジョブの完了の可否に基づいて、モード設定の変更の提案を行う表示部とを備える
箔押しシステム。
【発明の詳細な説明】
【技術分野】
【０００１】
本発明は、箔を印刷済み用紙に圧着させる箔押し機、及び箔押し機を備えた箔押しシステムに関する。
【背景技術】
【０００２】
箔押し機は、印刷済み用紙に箔を圧着させて、用紙の表面に金や銀などの箔を付着させる処理を行う機械（装置）である。箔は、ロール状に巻かれており、箔押し機は、印刷済み用紙の搬送に連動してロール状に巻かれた箔（いわゆる箔ロール）を引き出して、印刷済み用紙の表面に圧着させる。この圧着時には、印刷済み用紙の箔押しを行う箇所にニスを塗布し、用紙全体に箔を当てて、熱を加えて圧着させる作業を行う。その結果、印刷済み用紙のニスが塗布された箇所に箔が付着し、箔押しされた状態になる。
【０００３】
このような箔押し機を利用する場合には、箔ロールを使い切ったとき、使用済みの箔ロールを、未使用の箔ロールに交換する作業が必要になる。箔ロールを使い切った状態が発生したときには、オペレータが箔ロールを交換しない限り、箔押し機が停止したままとなり、箔押し作業が再開されない。
このため、オペレータが箔押しのジョブを箔押し機で実行する際には、そのジョブの実行開始前に、箔ロールの残量からジョブの完了が可能か否かを知ることが望ましい。箔ロールの残量からジョブの完了が間近であることが把握できれば、箔ロールの交換作業を行うように待機する等の対処が可能になる。
【０００４】
特許文献１には、ロール紙に印刷を行う印刷機において、印刷作業の開始前に、開始するジョブで必要なロール紙の長さと、ロール紙の残りの長さを表示させる技術について記載されている。
この特許文献１に記載されるように、ジョブで必要なロール紙の長さと、ロール紙の残量を表示させる技術を箔押し機の箔ロールに適用することで、箔押しのジョブ実行前に、そのジョブの途中で箔ロールの交換作業が必要な状況かどうかが、判断できるようになる。
【先行技術文献】
【特許文献】
【０００５】
【特許文献１】特開２００９−１１３４１８号公報
【発明の概要】
【発明が解決しようとする課題】
【０００６】
ところで、箔押し機の場合には、印刷済み用紙を次の用紙に切り替える際に、箔ロールについても若干の距離だけ搬送されてしまうため、箔ロールに未使用領域が生じてしまう。  
箔押し機で箔押し処理を行う場合には、この箔ロールの未使用領域の扱い方によって、作業速度優先モードと箔ロール消費量節約モードの２つの作業モードがある。
すなわち、作業速度優先モードの場合には、用紙切り替え時の箔ロールの未使用領域をそのまま使用済みとする。この作業速度優先モードの場合には、１回の箔押し作業を行った後、印刷済み用紙を搬送するだけで、次の印刷済み用紙の箔押し作業が行える状態になるので、高速で次々に箔押し作業を行うことができる。
【０００７】
一方、箔ロール消費量節約モードの場合には、用紙切り替え時の箔ロール未使用領域の巻き戻し作業を、１枚の印刷済み用紙搬送ごとに行うことになる。この箔ロール消費量節約モードの場合には、箔ロールの巻き戻し作業の実行で、箔押し作業の処理スピードが遅くなるが、箔ロールの消費量を節約することができる。
【０００８】
このように箔押し機の場合には、処理スピードを優先するモードと、箔ロールの消費量を節約するモードの２つの作業モードがあり、特許文献１に記載されたロール紙の印刷機のジョブ実行前のロール紙残量を表示させる技術をそのまま適用することは適切ではない。例えば、箔ロールの残量によっては、作業速度優先モードで箔ロールの交換が必要であっても、箔ロール消費量節約モードでは箔ロールを交換せずにジョブが完了できるケースもあるから、一律の条件で箔ロールの交換が必要か否かを表示することはできない。
【０００９】
また、作業速度優先モードから箔ロール消費量節約モードに変更することで、箔ロールを交換せずにジョブが完了できるようになるとしても、箔ロール消費量節約モードの実行で作業時間が遅くなって、箔ロールの交換作業に必要な時間よりも長くなってしまう可能性がある。このような場合には、作業速度優先モードで作業を行って、箔ロールが切れた段階で箔ロールを交換した方が早く作業が完了するであろう。しかし、作業速度優先モードと箔ロール消費量節約モードのいずれのモードで作業した方が早く作業が完了するかをオペレータが事前に把握することは困難であった。
【００１０】
本発明はこれらの点に鑑みてなされたものであり、箔押しのジョブを実行する際に、箔ロールの残量に応じた最適な設定をオペレータに提示できる箔押し機及び箔押しシステムを提供することを目的とする。
【課題を解決するための手段】
【００１１】
本発明の箔押し機は、箔押しを行うための箔ロールが装着される箔ロール装着部と、箔ロール装着部に装着された箔ロールを使って、用紙に箔押しを行う箔押し処理部と、箔ロール装着部に装着された箔ロールの残量を取得する残量取得部と、ジョブの実行によって必要となる箔ロールの使用量を取得すると共に、その使用量として、箔ロールの未使用領域を巻き戻さないモードでの使用量と、箔ロールの未使用領域を巻き戻すモードでの使用量との２種類のモードでの使用量を取得する使用量取得部と、残量取得部が取得した箔ロールの残量と、使用量取得部が取得した２種類のモードでの箔ロールの使用量とを比較して、それぞれのモードでのジョブの完了の可否を判定するジョブ制御部と、ジョブ制御部で判定した各モードでのジョブの完了の可否に基づいて、モード設定の変更の提案を行う表示部とを備えるようにした。
【００１２】
また本発明の箔押しシステムは、上述した箔押し機の各部をシステムとして備えるようにした。
【発明の効果】
【００１３】
本発明によると、箔ロールの未使用領域を巻き戻さないモードと、箔ロールの未使用領域を巻き戻すモードとの２つのモードでのジョブの完了の可否に基づいて、適切なモードへの変更を提案することができるようになる。したがって、オペレータは、現在設定中のモードがいずれであっても、表示に基づいて箔ロールを交換せずにジョブを完了できるモードへの変更などを適切に行えるようになる。
【図面の簡単な説明】
【００１４】
【図１】本発明の第１の実施の形態例によるシステム全体の例を示す構成図である。
【図２】本発明の第１の実施の形態例による各装置の構成例を示すブロック図である。
【図３】本発明の第１の実施の形態例による箔ロールの使用イメージを示す説明図であり、図３Ａは巻き戻し設定オフのモードでの使用例を示し、図３Ｂは巻き戻し設定オンのモードでの使用例を示す図である。
【図４】本発明の第１の実施の形態例による処理を示すフローチャートである。
【図５】本発明の第１の実施の形態例による表示例を示す説明図であり、図５Ａは巻き戻し設定オンのモードからオフのモードへの変更を提案する表示例を示し、図５Ｂは巻き戻し設定オフのモードからオンのモードへの変更を提案する表示例を示す図である。
【図６】本発明の第２の実施の形態例による処理を示すフローチャートである。
【図７】本発明の第２の実施の形態例による表示例を示す説明図である。
【図８】本発明の第２の実施の形態例の変形例の処理（自動的に変更する例）を示すフローチャートである。
【発明を実施するための形態】
【００１５】
＜１．第１の実施の形態例＞
以下、本発明の第１の実施の形態例を、図１〜図５を参照して説明する。
［１．１  システムの全体構成］
図１は、システム全体の構成例を示す。
本実施の形態例の箔押しシステムは、クライアントコンピュータ装置１０と、画像形成装置２０と、箔押し機３０とを備える。これらクライアントコンピュータ装置１０と、画像形成装置２０と、箔押し機３０とは、ネットワーク４０で相互に通信可能に接続されている。
【００１６】
画像形成装置２０は、箔押しを行う用紙を印刷するものであり、画像形成装置２０で印刷された用紙に対して、箔押し機３０が箔押し処理を実行する。画像形成装置２０での印刷と、箔押し機３０の箔押し処理は、クライアントコンピュータ装置１０からのジョブの指示の送信で実行される。すなわち、クライアントコンピュータ装置１０から画像形成装置２０に対して、印刷を指示するジョブデータｄ１が送信され、クライアントコンピュータ装置１０から箔押し機３０に対して、箔押し用のジョブデータｄ２が送信される。そして、画像形成装置２０では、ジョブデータｄ１で指示された画像データを用紙に印刷する処理が行われる。また、箔押し機３０では、箔押し用のジョブデータｄ２で指示された箔押し処理が実行される。
なお、箔押し用のジョブデータｄ２については、例えば図１に示すように、クライアントコンピュータ装置１０でメモリカード５０に記録し、そのメモリカード５０に記録されたジョブデータｄ２′を箔押し機３０で読み出すようにしてもよい。ここでのメモリカード５０には、ＵＳＢメモリと称されるデータ記録装置のような、様々な形態のデータ記録装置が含まれる。
【００１７】
［１．２  各装置の構成］
図２は、クライアントコンピュータ装置１０と、画像形成装置２０と、箔押し機３０の内部構成を示す。
クライアントコンピュータ装置１０は、ジョブの指示を行う中央制御ユニット（以下、「ＣＰＵ」と称する）１１、メモリ１２、各機器を制御するドライバ１３、及びハードディスクドライブ（以下、「ＨＤＤ」と称する）１４を備える。ドライバ１３としては、画像形成装置２０を制御するプリンタドライバ、箔押し機３０を制御する箔押し機ドライバなどが用意されている。これらドライバ１３は、ＨＤＤ１４に記憶されたソフトウェアとして構成する場合と、各機器を制御する専用のハードウェアとして構成する場合のいずれでもよい。
【００１８】
また、クライアントコンピュータ装置１０は、表示部１５、操作部１６、及びネットワーク通信インターフェイス部１７を備える。表示部１５には、画像形成装置２０や箔押し機３０に対して指示するジョブの詳細が表示され、操作部１６は、その表示に基づいたオペレータからの操作指示を受け付ける。ネットワーク通信インターフェイス部１７は、ネットワーク４０を経由して画像形成装置２０や箔押し機３０と通信を行う。なお、ＣＰＵ１１が指示するジョブには、どのような画像の印刷や箔押しを行うかのデータの他、どのサイズの用紙に何枚印刷や箔押しを行うかのデータについても含まれる。
【００１９】
画像形成装置２０は、画像形成処理（印刷処理）を制御するＣＰＵ２１、メモリ２２、ＨＤＤ２３、ラスタ画像処理部（以下、「ＲＩＰ部」と称する）２４、給紙部２５、画像形成部２６、排紙部２７、及びネットワーク通信インターフェイス部２８を備える。画像形成部２６は、ＣＰＵ２１の制御に基づいて、給紙部２５により供給された用紙に対して印刷を行う。このとき、ＲＩＰ部２４が、印刷用のラスタ画像データを形成し、画像形成部２６がその形成されたラスタ画像を用紙に印刷する処理を行う。そして、画像が印刷された用紙が、排紙部２７により画像形成装置２０の外部に排出される。ネットワーク通信インターフェイス部２８は、ネットワーク４０を経由してクライアントコンピュータ装置１０と通信を行う。
【００２０】
箔押し機３０は、箔押し処理を制御するＣＰＵ３１、メモリ３２、ＨＤＤ３３、箔押し処理部３４、箔搬送部３５、用紙搬送部３６、表示部３７、及び操作部３８を備える。箔搬送部３５は、箔ロール装着部３５ａを備え、箔ロール装着部３５ａに長尺の箔ロールが装着される。
ＣＰＵ３１は、ＨＤＤ３３に記憶されたソフトウェアを実行することで、ジョブ制御部３１ａと、箔ロールの残量を取得する箔ロール残量取得部３１ｂと、ジョブ実行時の箔ロールの使用量を取得する箔ロール使用量取得部３１ｃとが形成される。ジョブ制御部３１ａは、ジョブの実行を制御する際に、箔ロール残量取得部３１ｂが取得した箔ロールの残量と、箔ロール使用量取得部３１ｃが取得した箔ロール使用量とを比較する。そして、ジョブの完了の可否を判定する処理を行い、その判定結果に基づいて表示部３７における表示の制御を行う。ここで、ジョブ制御部３１ａが比較を行う際には、後述する２つの動作モードでの箔ロール使用量を取得して、それぞれのモードでのジョブの完了の可否を判定する。このジョブ制御部３１ａでの処理の詳細については後述する。
【００２１】
箔押し処理部３４は、ＣＰＵ３１の制御に基づいて、用紙搬送部３６により搬送された印刷済みの用紙に対して箔を押す処理を行う。箔搬送部３５は、箔ロール装着部３５ａに装着された箔ロールから未使用の箔を引き出す処理を行い、箔押し処理部３４が、その引き出された箔を印刷済みの用紙に圧着させ、箔を付着させる。このとき、箔押し処理部３４は、印刷済み用紙の箔を付着させる箇所にニスを塗布すると共に、圧着時に熱を加えるようにする。
【００２２】
箔ロール残量取得部３１ｂは、箔ロール装着部３５ａに装着された箔ロールの長さから、箔押しのジョブを実行済みの枚数に応じて使用した長さを減算し、箔ロールの未使用領域の残量（長さ）を取得する。また、箔ロール使用量取得部３１ｃは、ジョブ制御部３１ａがクライアントコンピュータ装置１０から指示されたジョブを実行したときの箔ロールの使用量を算出する。これらの箔ロールの残量や使用量のデータは、メモリ３２又はＨＤＤ３３に記憶される。
【００２３】
なお、箔ロール装着部３５ａが箔押し処理を実行する際には、箔ロールの未使用領域を巻き戻さないで次々に箔押し処理を実行する作業速度を優先したモード（以下、「巻き戻しオフモード」と称する）と、箔ロールの未使用領域を巻き戻しながら処理を実行する箔ロール消費量を節約したモード（以下、「巻き戻しオンモード」と称する）との２種類のモードが用意されている。巻き戻しオフモードとした場合には、巻き戻し動作を行わないために、高速で箔押しのジョブを完了することができる。
一方、巻き戻しオンモードとした場合には、巻き戻し動作が行われるためジョブの完了までの時間が長くなるが、箔ロールの消費量を抑えることができる。この２種類のモードのいずれのモードで箔押し処理を行うかは、オペレータによるモードの選択操作で決まる。なお、箔ロール使用量取得部３１ｃがジョブを実行したときの箔ロールの使用量を算出する際には、これら２種類のモードでの箔ロールの使用量が算出される。
【００２４】
表示部３７には、箔押しジョブの実行状態などの箔押し機３０の状態が表示される。操作部３８は、オペレータによるジョブの開始やモードの選択などの各種操作を受け付ける。この操作部３８としては、例えば表示部３７と一体化されたタッチパネルが使用される。
ネットワーク通信インターフェイス部３９は、ネットワーク４０を経由してクライアントコンピュータ装置１０と通信を行う。
【００２５】
［１．３  各モードでの箔ロールの使用状態］
図３は、上述した２種類のモードでの箔ロールの使用状態を示す。
図３Ａは、巻き戻しオフモードの場合の箔ロールＲａの使用状態を示す。長尺の箔ロールＲａは、箔押し処理の実行に連動して、箔搬送部３５によりｍ方向（図の左側）に搬送される。ここで、１枚ごとの印刷済み用紙の搬送方向の幅に対応した距離ｘ１，ｘ２，ｘ３が、１枚の用紙の箔押し処理ごとに使用され、使用領域Ｒａ１となる。この使用領域Ｒａ１には、１枚ごとの用紙の切り替え時に、箔ロールＲａが連動して動く距離ｙ１，ｙ２，ｙ３も含まれる。
【００２６】
したがって、巻き戻しオフモードでは、（搬送方向の用紙幅＋用紙切替時の移動幅）×（印刷枚数）が、使用領域Ｒａ１となり、ジョブ完了後の未使用領域Ｒａ２は、箔ロールＲａの全体の長さから使用領域Ｒａ１を減算した長さになる。
【００２７】
図３Ｂは、巻き戻しオンモードの場合の箔ロールＲｂの使用状態を示す。このモードでは、１枚ごとの印刷済み用紙の搬送方向の幅に対応した距離ｘ１，ｘ２，ｘ３だけが、使用領域Ｒｂ１になる。すなわち、１枚の箔押し処理が完了して用紙を搬送した後に巻き戻しが実行され、ジョブ完了後の未使用領域Ｒｂ２は、巻き戻しオフモードでの未使用領域Ｒａ２に比べて、１枚毎の用紙搬送に連動して動く距離ｙ１，ｙ２，ｙ３の分だけ長くなる。
【００２８】
したがって、巻き戻しオンモードでは、（搬送方向の用紙幅）×（印刷枚数）が、使用領域Ｒｂ１となり、未使用領域Ｒｂ２は、箔ロールＲｂの全体の長さから使用領域Ｒｂ１を減算した長さになる。
【００２９】
［１．４  箔押し処理実行時の流れ］
図４は、箔押し機３０が箔押し処理のジョブを実行する際の流れを示すフローチャートである。
この図４に示す処理は、箔押し機３０のジョブ制御部３１ａの制御下で行われる。
まず、ジョブ制御部３１ａは、箔ロール残量取得部３１ｂから箔ロールの現在の残量を取得する（ステップＳ１１）。また、ジョブ制御部３１ａは、クライアントコンピュータ装置１０から送信されたジョブデータに基づいて、箔ロール使用量取得部３１ｃで得られたジョブ実行時の箔ロール使用量を取得する（ステップＳ１２）。ここでの箔ロール使用量は、上述した２つのモードの内で、現在設定中のモードで算出した使用量である。
【００３０】
そして、ジョブ制御部３１ａは、ステップＳ１１で取得した箔ロールの残量と、ステップＳ１２で取得した使用量とを比較して、箔ロールの残量が、使用量よりも少ないか否かを判断する（ステップＳ１３）。ここで、箔ロールの残量が使用量よりも少ない場合（ステップＳ１３のＹｅｓ）、ジョブ制御部３１ａは、現在設定中のモードが巻き戻しオンモードか巻き戻しオフモードかを判断する（ステップＳ１４）。このステップＳ１４のモード判断で、巻き戻しオンモードが設定中であるとき、ジョブ制御部３１ａは、表示部３７に、巻き戻しオフモードへの変更の提案を表示して（ステップＳ１５）、処理を終了する。
【００３１】
一方、ステップＳ１４でのモード判断で、巻き戻しオフモードが設定中であるとき、ジョブ制御部３１ａは、巻き戻しオフモードから巻き戻しオンモードへの変更で、箔ロールの残量が、使用量以上に変化したか否かを判断する（ステップＳ１６）。ここでの箔ロールの残量が使用量以上である場合には、箔ロールの残量と使用量が等しい場合も含まれる。
【００３２】
ステップＳ１６での判断で、箔ロールの残量が使用量以上である場合（ステップＳ１６のＹｅｓ）、ジョブ制御部３１ａは、表示部３７に、巻き戻しオンモードへの変更の提案を表示する（ステップＳ１７）。また、ステップＳ１６での判断で、箔ロールの残量が使用量に足らない場合には（ステップＳ１６のＮｏ）、ジョブ制御部３１ａは、モード変更についての提案表示を行わないで処理を終了する。
【００３３】
［１．５  表示例］
図５は、図４のフローチャートのステップＳ１５及びＳ１７での表示例を示す。
図５Ａは、ステップＳ１５での表示例を示す。ステップＳ１５の表示例は、箔ロール使用量を優先した巻き戻しオンモードが設定中で、かつ、箔ロールの残量がジョブでの使用量以上となる場合であり、モードの変更により短時間でジョブを完了させることを提案する表示例である。
すなわち、図５Ａに示すように、表示部３７には、ジョブの実行で箔切れが解消することの警告表示１１１と、モード変更を促す表示１１２と、モード変更を指示するボタン１１３と、モード変更をしないボタン１１４とが表示される。
【００３４】
ここでの警告表示１１１としては、例えば「このジョブは実行中に箔切れが発生します。そのため巻き戻し設定を変更し、最速で出力できます。」を表示する。モード変更を促す表示１１２としては、例えば「設定をＯＮからＯＦＦに変更しますか？」を表示する。
また、モード変更を指示するボタン１１３は、「変更する」を表示し、モード変更をしないボタン１１４は、「変更しない」を表示する。
【００３５】
ボタン１１３がオペレータによりタッチされた場合、ジョブ制御部３１ａは、巻き戻しオンモードから巻き戻しオフモードに変更して、最速でジョブを実行する。また、ボタン１１４がオペレータによりタッチされた場合、ジョブ制御部３１ａは、巻き戻しオンモードのままで、ジョブを実行する。この図５Ａの表示を行った場合には、いずれのモードであっても、ジョブ実行途中で箔切れが生じ、箔ロールの交換作業が必要になる。
【００３６】
図５Ｂは、ステップＳ１７での表示例を示す。ステップＳ１７の表示例は、ジョブ実行速度を優先した巻き戻しオフモードが設定中で、かつ、巻き戻しオンモードへの変更で、箔ロールの残量がジョブでの使用量以上となる場合であり、モードの変更を提案する表示例である。すなわち、図５Ｂに示すように、表示部３７には、モード変更で箔切れが解消することの警告表示１２１と、モード変更を促す表示１２２と、モード変更を指示するボタン１２３と、モード変更をしないボタン１２４とが表示される。
【００３７】
ここでの警告表示１２１としては、例えば「このジョブは実行中に箔切れが発生します。巻き戻し設定を変更すると停止せずに完了します。」と表示する。モード変更を促す表示１２２としては、例えば「設定をＯＦＦからＯＮに変更しますか？」と表示する。
また、モード変更を指示するボタン１２３は、「変更する」を表示し、モード変更をしないボタン１２４は、「変更しない」を表示する。
【００３８】
表示部３７にはタッチパネルで構成される操作部３８が組み込んであるため、ボタン１２３がオペレータによりタッチされた場合、ジョブ制御部３１ａは、巻き戻しオフモードから巻き戻しオンモードに変更して、ジョブを実行する。また、ボタン１２４がオペレータによりタッチされた場合、ジョブ制御部３１ａは、巻き戻しオフモードのままで、ジョブを実行する。この場合には、ジョブ実行途中で箔切れが生じ、箔ロールの交換作業が必要になる。
【００３９】
この図５に示す表示を行うことで、本実施の形態例の箔押し機３０は、ジョブを実行する際に、動作モードの変更でジョブ途中での箔切れを回避できる場合、その動作モードの変更を提案する表示が行われる。したがって、この提案を確認したオペレータがモードを変更することで、箔切れによる箔ロールの交換作業をジョブの実行中に行う必要がなくなり、適切な箔押し処理を行うことができる。
【００４０】
また、巻き戻しオンモードが設定中で、ジョブ途中で箔切れが生じる場合には、いずれのモードであってもジョブ途中に箔切れによる箔ロールの交換作業が必要になる。このため、あえて箔ロールを節約するモードを設定する必要がなく、この提案を確認したオペレータが、最速でジョブを完了できる巻き戻しオフモードに変更することで、ジョブの実行時間を短縮することができる。
【００４１】
＜２．第２の実施の形態例＞
次に、本発明の第２の実施の形態例を、図６〜図８を参照して説明する。
本発明の第２の実施の形態例において、システム全体の構成、及び各装置（クライアントコンピュータ装置１０，画像形成装置２０，箔押し機３０）の構成は、第１の実施の形態例で説明した図１及び図２の構成と同じである。なお、第２の実施の形態例においては、箔押し機３０がモード変更を提案する場合に、箔ロールの交換に要する時間を考慮するようにした。
【００４２】
［２．１  箔押し処理実行時の流れ］
図６は、第２の実施の形態例において、箔押し機３０が箔押し処理のジョブを実行する際の流れを示すフローチャートである。この図６において、第１の実施の形態例で説明した処理の流れのフローチャートの各ステップと同一内容の処理については、同一のステップ番号を付す。
【００４３】
この図６に示す処理では、ステップＳ１６での判断で、箔ロールの残量が使用量以上である場合（ステップＳ１６のＹｅｓ）、ジョブ制御部３１ａは、ステップＳ１８の処理に移る。
このステップＳ１８では、ジョブ制御部３１ａは、巻き戻しオフモードでのジョブの実行時間として、箔ロールの交換に要する平均時間を加算した巻き戻しオフモードでの実時間を取得する。また、巻き戻しオンモードでのジョブの実行時間を別途取得する。なお、箔ロールの交換に要する平均時間は、例えばＨＤＤ３３が予め記憶されている時間である。
【００４４】
そして、ジョブ制御部３１ａは、ステップＳ１８で判断した、巻き戻しオフモードでの実時間（平均交換時間を加算した時間）と、巻き戻しオンモードでのジョブの実行時間とを比較する（ステップＳ１９）。このステップＳ１９の比較で、巻き戻しオンモードでのジョブの実行時間の方が短時間である場合には（ステップＳ１９のＹｅｓ）、ジョブ制御部３１ａは、ステップＳ１７の処理に移り、表示部３７に、巻き戻しオンモードへの変更の提案を表示する。
【００４５】
また、ステップＳ１９での比較で、箔ロールの交換に要する平均時間を加算した巻き戻しオフモードでの実時間の方が短時間である場合（ステップＳ１９のＮｏ）、ジョブ制御部３１ａは、モード変更の提案を表示しない。
図６のフローチャートのその他の処理は、図４のフローチャートと同じであるので説明は省略する。
【００４６】
［２．２  表示例］
図６のフローチャートのステップＳ１７では、第１の実施の形態例で説明した図５Ｂの表示を行うようにしてもよいが、より積極的にモード変更が短時間であることを警告するようにしてもよい。
図７は、この場合の表示例を示す。図７に示す表示例では、図５Ｂの表示例と同様に、モード変更で箔切れが解消することの警告表示１２１と、モード変更を促す表示１２２と、モード変更を指示するボタン１２３と、モード変更をしないボタン１２４とを表示する。そして、図７に示す表示例では、モード変更で短時間にジョブが終了することを警告する表示１２５を行う。
この表示１２５としては、例えば「箔を交換するよりも短時間でジョブが完了します」と表示する。
【００４７】
このような表示を行うことで、箔ロールの交換に要する作業時間を考慮した上で、適切なモード変更を提案する表示が行われるようになり、オペレータは、表示に基づいて短時間でジョブが完了するようにモードを変更できるようになる。
なお、箔ロールの交換に要する作業時間は、予め想定される時間をＨＤＤ３３等が記憶するようにしてもよいが、実際に箔ロール装着部３５ａでの実際の交換作業時間をＣＰＵ３１が測定して、その測定した作業時間の平均値を、ＨＤＤ３３等が記憶するようにしてもよい。箔ロールの交換作業時間は、例えば箔ロール装着部３５ａの蓋が開けられてから閉じられるまでの時間や、箔ロールの交換時に箔押し作業が中断した時間などから判断することができる。
【００４８】
［２．３  交換時間を考慮する場合の変形例］
図６のフローチャートで説明した処理では、モード変更を表示でオペレータに提案するようにしたが、ジョブ制御部３１ａが同様に判断した結果に基づいて、自動的にモードを変更してジョブを実行するようにしてもよい。
【００４９】
図８は、このジョブ制御部３１ａが自動的にモードを変更する場合の処理の流れを示すフローチャートである。
この図８のフローチャートにおいて、図６のフローチャートと相違する点は、ステップＳ１９の判断において、巻き戻しオンモードでのジョブの実行時間の方が短時間である場合（ステップＳ１９のＹｅｓ）、ステップＳ２０の処理に移ることである。ステップＳ２０では、ジョブ制御部３１ａは、巻き戻しオフモードから巻き戻しオンモードに自動的にジョブ実行時のモードを変更する処理を行う。このとき、自動的にモードを変更したことを、表示部３７に表示するようにしてもよい。
また、図８のフローチャートでは、ステップＳ１４で巻き戻しオンモードが設定中と判断したとき（ステップＳ１４のオンモード）、ジョブ制御部３１ａは、そのままモードを変更せず、モード変更についての表示も行わない。
【００５０】
このようにして自動的にモードを変更することで、箔ロールの交換に要する作業時間を考慮した上で、モード変更で短時間にジョブが終了すると判断したとき、自動的にモードを変更してジョブを実行するようになり、オペレータが意識することなく、自動的に最適なモードで作業を行うことが可能となる。
【００５１】
＜３．その他の変形例＞
なお、ここまで説明した第１及び第２の実施の形態例では、箔押し機３０内のＣＰＵ３１が、箔ロールの残量やジョブ実行時の使用量を取得して、表示又は動作を制御するようにした。これに対して、クライアントコンピュータ装置１０のＣＰＵ１１が、箔ロールの残量やジョブ実行時の使用量を取得して、クライアントコンピュータ装置１０の表示部１５が同様の表示を行うようにしてもよい。すなわち、クライアントコンピュータ装置１０が、箔押し機３０でジョブを実行する場合のモードを設定するようにして、そのときの設定モードに応じて、箔ロールの残量と使用量との比較から適切でない場合に、モード変更を提案する表示を、表示部１５に行わせるようにシステムを構成してもよい。
また、図８のフローチャートに示すように自動的にモードを変更する場合にも、クライアントコンピュータ装置１０のＣＰＵ１１が判断して、モードの変更を箔押し機３０に指示するようにしてもよい。
【００５２】
また、図１や図２に示す装置構成は一例を示すものであり、本発明が適用されるシステムや装置は、これらの各図に示す構成に限定されるものはない。また、本発明は、既存の箔押し機やコンピュータ装置に、図４などのフローチャートにしたがった流れで処理を実行するプログラム（ソフトウェア）を組み込むことで、同様の処理を行う装置やシステムとしてもよい。
さらに、図５や図７に示す表示例についても、好適な一例を示すものであり、その他の表示形態としてもよい。
【符号の説明】
【００５３】
１０…クライアントコンピュータ装置、１１…中央制御ユニット（ＣＰＵ）、１２…メモリ、１３…ドライバ、１４…ハードディスクドライブ（ＨＤＤ）、１５…表示部、１６…操作部、１７…ネットワーク通信インターフェイス部、２０…画像形成装置、２１…ＣＰＵ、１２…メモリ、２３…ＨＤＤ、２４…ラスタ画像処理部（ＲＩＰ部）、２５…給紙部、２６…画像形成部、２７…排紙部、３０…箔押し機、３１…ＣＰＵ、３１ａ…ジョブ制御部、３１ｂ…残量取得部、３１ｃ…使用量取得部、３２…メモリ、３３…ＨＤＤ、３４…箔押し処理部、３５…箔搬送部、３５ａ…箔ロール装着部、３６…用紙搬送部、３７…表示部、３８…操作部、３９…ネットワーク通信インターフェイス部、４０…ネットワーク、５０…メモリカード
【図１】
2018069659.tif 000003
【図２】
2018069659.tif 000004
【図３】
2018069659.tif 000005
【図４】
2018069659.tif 000006
【図５】
2018069659.tif 000007
【図６】
2018069659.tif 000008
【図７】
2018069659.tif 000009
【図８】
2018069659.tif 000010